(57)【特許請求の範囲】
【請求項１】
複数の防護区画それぞれに配置する操作箱の線路に接続されるガス系消火設備における終端抵抗の接続構造において、
複数の操作箱それぞれに予め終端抵抗が設けられ、前記複数の操作箱の線路を接続する主線路には最上流に制御盤が接続され、前記主線路は下流側の操作箱の線路に対しそれぞれ送り配線接続されると共に、前記終端抵抗を前記線路に対して選択的に接続状態又は非接続状態とする接続手段を設けたことを特徴とするガス系消火設備の終端抵抗の接続構造。
【請求項２】
前記操作箱の複数の線路それぞれに、前記終端抵抗が固定的に配置され、
前記接続手段は、前記終端抵抗の上流側又は下流側において、前記複数の線路を一括的に通線状態又は断線状態とすることを特徴とする請求項１記載のガス系消火設備の終端抵抗の接続構造。
【請求項３】
前記操作箱の複数の線路それぞれに、前記終端抵抗が固定的に配置され、
前記接続手段は、前記終端抵抗から集線されて１つの接地点に至る線路を通線状態又は断線状態とすることを特徴とする請求項１記載のガス系消火設備の終端抵抗の接続構造。
【発明の詳細な説明】
【０００１】
【発明の属する技術分野】
本発明は、二酸化炭素等の消火ガスを放出して火災を消火するガス系消火設備において、防護区画に配置した操作箱の複数の線路それぞれに終端抵抗を接続するためのガス系消火設備における終端抵抗の接続構造に関する。
【０００２】
【従来の技術】
従来より、火災発生時に二酸化炭素やハロンガス等の消火ガスを放出して火災を消火するガス系消火設備が提案されている。このガス系消火設備は、水損や汚損を嫌う機器が設置されている室内において、消火時の機器損失を最小限に抑えつつ迅速な消火を行うことができるという特徴を有するものである。
【０００３】
このようなガス系消火設備の全体構成図を図１に示す。この図１において、複数の防護区画Ａ、Ｂのそれぞれの内部には、火災を感知するための火災感知器１、消火ガスを噴射するための噴射ヘッド２、及び非常放送を行うための放送スピーカー３が設けられている。また防護区画Ａ、Ｂそれぞれの外部近傍には、消火ガスの放出を手動で行うための操作箱４及び消火ガスの放出を表示する放出表示灯５が設けられている。さらに防護区画の外部には、消火ガスを貯蔵する消火薬剤貯蔵容器６、消火ガスの放出を行う選択弁７、この選択弁７を駆動する起動装置８、及び制御盤９等が設けられている。
【０００４】
このようなガス系消火設備において、消火制御を行う基本的な動作モードとして、自動モードと手動モードとの２つを切換選択することが可能である。自動モードでは、それぞれ別系統の回線に接続された火災感知器１からのＡＮＤ発報があった場合に、所定時間のカウントダウン開始を許容するための条件（以下、カウントダウン条件）が確立し、カウントダウンが開始される。このカウントダウンが終了すると、消火ガスの放出を許容するための条件（以下、ガス放出条件）が確立して消火ガスが放出される。また手動モードでは、監視員が目視又は火災感知器１の発報によって火災を発見し、操作箱４の起動スイッチを押すことでカウントダウン条件が確立する。そしてカウントダウンが終了すると、ガス放出条件が確立して消火ガスが放出される。
【０００５】
このようなガス系消火設備において、それぞれの防護区画Ａ、Ｂに設けられた各操作箱４には、上述の起動スイッチのように、消火設備の起動に関する各種の操作等を行うための複数の機器（起動制御器）が設けらている。図１１は従来の操作箱の結線図である。この図１１に示すように、操作箱には複数の起動制御器が設けられている。この起動制御器から出力された信号（起動制御信号）はそれぞれ別の主線路Ｓ１〜Ｓ５を介して、上流側に配置された他の操作箱４の主線路Ｓ１〜Ｓ５に接続されており、また最も上流側の操作箱４の主線路Ｓ１〜Ｓ５は制御盤９に接続されている。
【０００６】
ここで最も下流側に配置される操作箱４には、図１１に示すように、主線路Ｓ１〜Ｓ５の断線等を監視するための複数の終端抵抗Ｒ１〜Ｒ５が、主線路Ｓ１〜Ｓ５と内部基板４０ａとの接続を行う端子台６０に接続される。これら複数の終端抵抗Ｒ１〜Ｒ５は、接地線路ＳＧを介して接地点Ｇに接続されている。このような複数の終端抵抗Ｒ１〜Ｒ５の接続は、操作箱４の取付け時に、作業員が逐一行っていた。
【０００７】
【発明が解決しようとする課題】
しかしながらこのような従来のガス系消火設備の終端抵抗の接続構造においては、作業員が複数の終端抵抗Ｒ１〜Ｒ５を一つずつ端子台６０に取り付けていたので、取付けに非常に手間を要しており、また終端抵抗Ｒ１〜Ｒ５それぞれの抵抗値が違うこともあり、取付けミスが生じる可能性があった。そこで取付けが容易で、しかも取付けミスの生じ難い接続構造が要望されていた。
【０００８】
本発明は、このような従来のガス系消火設備の終端抵抗の接続構造における問題点に鑑みてなされたもので、終端抵抗の着脱を容易かつ確実に行うことのできる、ガス系消火設備の終端抵抗の接続構造を提供することを目的とする。
【０００９】
【課題を解決するための手段】
このような目的を達成するために請求項１記載の本発明は、複数の防護区画それぞれに配置する操作箱の線路に接続されるガス系消火設備における終端抵抗の接続構造において、複数の操作箱それぞれに予め終端抵抗が設けられ、前記複数の操作箱の線路を接続する主線路には最上流に制御盤が接続され、前記主線路は下流側の操作箱の線路に対しそれぞれ送り配線接続されると共に、前記終端抵抗を前記線路に対して選択的に接続状態又は非接続状態とする接続手段を設けたことを特徴として構成されている。
【００１０】
また請求項２記載の本発明は、請求項１記載の本発明において、操作箱の複数の線路それぞれに、終端抵抗が固定的に配置され、接続手段は、終端抵抗の上流側又は下流側において、複数の線路を一括的に通線状態又は断線状態とすることを特徴として構成されている。
【００１１】
また請求項３記載の本発明は、請求項１記載の本発明において、操作箱の複数の線路それぞれに、終端抵抗が固定的に配置され、接続手段は、終端抵抗から集線されて１つの接地点に至る線路を通線状態又は断線状態とすることを特徴として構成されている。
【００１３】
【発明の実施の形態】
以下、本発明の第１実施形態について図面を参照して詳細に説明する。本実施形態は概略的に、終端抵抗の取付けをコネクタを介して行うものである。
図１は本実施形態におけるガス系消火設備の全体構成図、図２は操作箱の正面図、図３は操作箱内部の正面図、図４は制御盤の正面図、図５は自動モード運転時の動作フロー、図６は手動モード運転時の動作フローである。
【００１４】
まずガス系消火設備全体の構成及び制御手順について説明し、その後、終端抵抗の接続構造について説明する。図１に示すように、防護区画Ａ、Ｂそれぞれの内部には、火災感知器１、噴射ヘッド２、及び放送スピーカー３が設けられている。また防護区画Ａ、Ｂの外部近傍には、操作箱４及び放出表示灯５が設けられている。さらに防護区画Ａ、Ｂの外部には、消火薬剤貯蔵容器６、選択弁７、起動装置８、及び制御盤９等が設けられている。
【００１５】
火災感知器１は、各防護区画Ａ、Ｂ内における火災の発生を感知して発報を行う火災感知手段であり、１つの防護区画に対して複数設けられている。これら複数の火災感知器１は、相互に別系統の受信回路を経て制御盤９に接続されている。このように別系統の受信回路を設けるのは、火災感知器１や受信回路の異常による誤放出を回避するため、自動モードにおいてはこれら両系統の受信回路に接続された火災感知器１からの発報のＡＮＤが得られたことを条件として火災発生を判断するためである。
【００１６】
噴射ヘッド２は、消火ガスを噴射する噴射手段であり、ガス管路を介して消火薬剤貯蔵容器６に接続されている。この管路中には選択弁７が設けられており、この選択弁７を開くことによって消火ガスの放出が行われる。起動装置８は選択弁７及び消火薬剤貯蔵容器６の開放弁を起動する。また放送スピーカー３は、消火ガスが放出される旨を告げる音声を放送するものであり、また放出表示灯５は、消火ガスが放出される旨を表示するものである。
【００１７】
各操作箱４は、図２に示すように、その扉１０の前面側に、消火ガス放出前のカウントダウン時間を表示するカウントダウン表示部１１、消火ガスの放出を非常停止するための非常停止ボタン１２、運転モード又は手動モードのモード選択を行うためのキースイッチ１３、火災発生を示す火災灯１４、ガス放出動作が起動されたことを示す起動灯１５、操作箱４の電源状態を示す電源灯１６、消火ガスの放出を停止させるための閉止弁が閉じている時に点灯する閉止弁閉灯３１、手動モード運転時に点灯する手動モード灯１７、自動モード運転時に点灯する自動モード灯１８を備えて構成されている。
また操作箱４は、図３に示すように、扉１０を開いた際に露出する内部に、消火ガスの放出を手動で指示するための起動スイッチ１９、扉１０が開かれたことを検知する扉開検知スイッチ３２を備える。
以下、これら非常停止ボタン１２、キースイッチ１３、起動スイッチ１９、及び扉開検知スイッチ３２を、必要に応じて起動制御器と総称する。
【００１８】
一方、制御盤９は、複数の防護区画Ａ、Ｂにおける火災監視及び火災消火の状況を集中的に監視するものであり、各火災感知器１、各放送スピーカー３、各放出表示灯５、及び各操作箱４等に電気的に接続されている。この制御盤９は、図４に示すように、その前面上方に、各防護区画Ａ、Ｂ毎の状況を示す複数の表示窓２０が設けられている。各表示窓２０には、火災発生を示す火災灯２１、起動回路の異常を示す起動回路異常灯２２、自動モード運転時に点灯する自動モード灯２３、及び手動モード運転時に点灯する手動モード灯２４が設けられている。
【００１９】
また制御盤９には、その前面下方に、最初に消火ガスの放出動作が開始された防護区画Ａ、Ｂにおけるカウントダウン時間を表示するカウントダウン表示部２５、警報音を発するための警報スピーカ２６、全ての防護区画での運転モードを一括的に自動モード又は手動モードに切り替えるためのキースイッチ２７、ガス放出動作が起動されたことを示す起動灯２８、制御盤９の電源状態を示す電源灯２９、ガスが放出されたことを示す放出灯３０、障害の発生を代表的に報知する障害代表灯３３等が設けられている。
【００２０】
このようなガス系消火設備において、消火制御を行う基本的な動作モードとしては、従来と同様に自動モードと手動モードとの２つを切換選択することが可能である。
このうち自動モードでは、図５に示すように、通常監視状態において（ステップＳ１）、火災感知器１からの発報があり（ステップＳ２）、さらに別系統の火災感知器１からの発報があった場合（ステップＳ３）、カウントダウン条件が確立する（以下、カウントダウン条件の確立した防護区画を火災区画と称する）。
カウントダウン条件が確立すると、所定の制御が行われ（ステップＳ４、Ｓ５）、所定時間のカウントダウンが開始される（ステップＳ６）。このカウントダウンが終了すると（ステップＳ７）、ガス放出条件が確立する（ステップＳ８）。
そして制御盤９から発せられた制御信号によって火災区画の起動装置８が動作して選択弁７が駆動され、火災区画の噴射ヘッド２からガスが放出される（ステップＳ９）。
【００２１】
また手動モードでは、図６に示すように、通常監視状態において（ステップＳ１０）、監視員が目視又は火災感知器１の発報によって火災を発見し、操作箱４の扉１０を空け（ステップＳ１１）、さらに操作箱４の内部の起動スイッチ１９を押すと（ステップＳ１２）、カウントダウン条件が確立する（ステップＳ１３）。その後は、上述の自動モードにおけるカウントダウン条件の確立以降の処理と同じ処理が行われる（ステップＳ１４〜Ｓ１８）。
【００２２】
次に、終端抵抗の接続構造について説明する。図７は本実施形態における操作箱の結線図、図８はコネクタの取り外し状態における斜視図である。
この図７において操作箱４の内部には、上述した起動スイッチ１９の如き複数の起動制御器が設けられている。これら複数の起動制御器から出力された起動制御信号はそれぞれ主線路Ｓ１〜Ｓ５を介して、上流側に配置された他の操作箱４の主線路Ｓ１〜Ｓ５、又は制御盤９に接続されている。
各主線路Ｓ１〜Ｓ５からはそれぞれ内部基板４０ａにおいて引出し線路ＳＲ１〜ＳＲ５が引き出されており、各引出し線路ＳＲ１〜ＳＲ５にはそれぞれ終端抵抗Ｒ１〜Ｒ５が接続されている。これら終端抵抗Ｒ１〜Ｒ５は、上流側及び下流側に配置される全ての操作箱４に対して設けられるもので、操作箱４の製造工程においてその内部基板４０ａに自動部品装着機による部品実装及びハンダ付けにて固定的に取付けられる。なお各引出し線路ＳＲ１〜ＳＲ５は、１本の接地線路ＳＧを介して接地点Ｇに接続されている。
【００２３】
ここで終端抵抗Ｒ１〜Ｒ５の上流側には、図７に示すように、接続手段たるコネクタ４０が設けられている。このコネクタ４０は、図８に示すように、操作箱４の内部基板４０ａに固定された一対の固定部４１、４２と、各固定部４１、４２に対して着脱自在に取付けることのできる一対の着脱部４３、４４と、これら各着脱部４３、４４を相互に接続する接続線ＳＣとを備えて構成されている。各固定部４１、４２には引出し線路ＳＲ１〜ＳＲ５に接続された５つの端子４１ａ、４２ａが設けられており、また各着脱部４３、４４には端子４１ａ、４２ａに対応する５つの接続穴４３ａ、４４ａが設けられている。そして５つの接続穴４３ａ、４４ａが５本の接続線ＳＣにて相互に接続されている。
【００２４】
そしてコネクタ４０を装着することにより、すなわち各接続穴４３ａ、４４ａに各端子４１ａ、４２ａが挿入されるように着脱部４３、４４を固定部４１、４２に装着することにより、５本の引出し線路ＳＲ１〜ＳＲ５を一括して通線状態として、終端抵抗Ｒ１〜Ｒ５を接続できる。一方、着脱部４３、４４を固定部４１、４２から取り外すことにより、引出し線路ＳＲ１〜ＳＲ５を一括して断線状態として、終端抵抗Ｒ１〜Ｒ５を非接続状態にすることができる。
上述のように終端抵抗Ｒ１〜Ｒ５は操作箱４に対して予め工場で取付けられているので、作業員は、操作箱４を取付ける際に、最も下流側に配置する操作箱４のコネクタのみを装着することにより終端抵抗Ｒ１〜Ｒ５を接続できる。したがって接続作業が容易である。特に複数の引出し線路ＳＲ１〜ＳＲ５を一括して通線状態又は断線状態にできるので、接続作業が一層容易である。また終端抵抗Ｒ１〜Ｒ５は工場で予め取り付けられているので、接続ミスが生じ難い。
【００２５】
このコネクタ４０は、所定の一方向にのみ着脱可能である。すなわち図８において、着脱部４３、４４の側方には突部４３ｂ、４４ｂが設けられており、また固定部４１、４２の側方には、突部４３ｂ、４４ｂを収納可能な凹部４１ｂ、４２ｂが設けられている。そしてこの突部４３ｂ、４４ｂを凹部４１ｂ、４２ｂに収め得る方向でのみ、着脱部４３、４４を固定部４１、４２に装着することができる。したがって着脱部を４３、４４に誤って反対方向に装着することがないので、終端抵抗Ｒ１〜Ｒ５を誤った引出し線路ＳＲ１〜ＳＲ５に接続することが防止される。なおコネクタ４０の方向性を規制するための構造は、図示の構造以外にも任意の構造が採用されてよい。
【００２６】
次に、本発明の第２実施形態について図面を参照して詳細に説明する。図９は本実施形態における操作箱の結線図、図１０はコネクタの取り外し状態における斜視図である。ただし、特に説明なき構成については第１実施形態と同じである。
本実施形態においては、引出し線路ＳＲ１〜ＳＲ５にダイオードＤ１〜Ｄ５を設け、接地線路ＳＧにコネクタ５０を設けている。この場合にはコネクタ５０は１接点のみを接続できればよいため、図１０に示すように、各固定部５１、５２には接地線路ＳＧに接続された１つの端子５１ａ、５２ａを設け、各着脱部５３、５４には端子５１ａ、５２ａに対応する１つの接続穴５３ａ、５４ａを設けて構成することができる。したがって第１実施形態に比べ、一層簡易な構成で終端抵抗Ｒ１〜Ｒ５の接続を行うことができる。
このコネクタ５０も所定の一方向にのみ着脱可能であり、着脱部５３、５４の突部５３ｂ、５４ｂを凹部５１ｂ、５２ｂに収め得る方向でのみ、着脱部５３、５４を固定部５１、５２に装着することができる。
【００２７】
さてこれまで本発明の一実施形態について説明したが、本発明は上記に示した実施形態に限定されず、その技術的思想の範囲内において種々異なる形態にて実施されてよいものであり、以下、これら異なる形態について説明する。
例えば、第１実施形態のコネクタの配置は、終端抵抗の下流側（終端抵抗と接地線路との間）としてもよい。またいずれか一方の着脱部を固定部に予め装着しておいてもよい。また終端抵抗を操作箱に固定せず、着脱部側に一体に取り付けてもよい。その他の接続手段としては、コネクタ以外にもディップスイッチやジャンパ線等の任意の接続素子を用いることができる。
【００２８】
【発明の効果】
これまで説明したように請求項１に記載の本発明は、複数の操作箱それぞれに、終端抵抗を線路に対して選択的に接続状態又は非接続状態とする接続手段を設けたことにより、接続手段を介して終端抵抗の接続を行うことができ、終端抵抗の接続作業が容易になる。
【００２９】
さらに請求項２記載の本発明は、操作箱の複数の線路それぞれに、終端抵抗が固定的に配置され、接続手段は、終端抵抗の上流側又は下流側において、複数の線路を一括的に通線状態又は断線状態とすることにより、終端抵抗は予め工場等で固定することができるので、その接続ミスが生じ難い。また複数の線路を一括して通線状態又は断線状態するため、接続作業が容易である。
【００３０】
さらにまた請求項３記載の本発明は、操作箱の複数の線路それぞれに、終端抵抗が固定的に配置され、接続手段は、複数の終端抵抗から集線されて１つの接地点に至る線路を通線状態又は断線状態とすることにより、接続手段にて１接点のみを接続することで終端抵抗を接続できるため、一層簡易な構成で終端抵抗の接続を行うことができる。
【００３１】
しかも請求項４記載の本発明は、接続手段は、所定の一方向にのみ着脱可能のコネクタであることにより、終端抵抗を誤った引出し線路に接続することを防止できる。
【図面の簡単な説明】
【図１】本発明の一実施形態におけるガス系消火設備の全体構成図である。
【図２】操作箱の正面図である。
【図３】操作箱内部の正面図である。
【図４】制御盤の正面図である。
【図５】自動モード運転時の動作フローである。
【図６】手動モード運転時の動作フローである。
【図７】本発明の第１実施形態における操作箱の結線図である。
【図８】図７のコネクタの取り外し状態における斜視図である。
【図９】本発明の第２実施形態における操作箱の結線図である。
【図１０】図９のコネクタの取り外し状態における斜視図である。
【図１１】従来の操作箱の結線図である。
【符号の説明】
Ａ、Ｂ  防護区画
Ｓ１〜Ｓ５  主線路
ＳＲ１〜ＳＲ５  引出し線路
ＳＧ  接地線路
Ｇ  接地点
１  火災感知器
２  噴射ヘッド
３  放送スピーカー
４  操作箱
５  放出表示灯
６  消火薬剤貯蔵容器
７  選択弁
８  起動装置
９  制御盤
１０  扉
１１、２５  カウントダウン表示部
１２  非常停止ボタン
１３、２７  キースイッチ
１４、２１  火災灯
１５、２８  起動灯
１６、２９  電源灯
１７、２４  手動モード灯
１８、２３  自動モード灯
１９  起動スイッチ
２０  表示窓
２２  起動回路異常灯
２６  警報スピーカ
３０  放出灯
４０、５０  コネクタ
４１、４２、５１、５２  固定部
４３，４４、５３、５４  着脱部
４１ａ、４２ａ、５１ａ、５２ａ  端子
４１ｂ、４２ｂ、５１ｂ、５２ｂ  凹部
４３ａ、４４ａ、５３ａ、５４ａ  接続穴
４３ｂ、４４ｂ、５３ｂ、５４ｂ  突部
【図１】
0004582730.tif 000002
【図２】
0004582730.tif 000003
【図３】
0004582730.tif 000004
【図４】
0004582730.tif 000005
【図５】
0004582730.tif 000006
【図６】
0004582730.tif 000007
【図７】
0004582730.tif 000008
【図８】
0004582730.tif 000009
【図９】
0004582730.tif 000010
【図１０】
0004582730.tif 000011
【図１１】
0004582730.tif 000012